(57)【特許請求の範囲】
【請求項１】
塗料缶を斜面に設置するために用いられる塗料缶保持具であって、
塗料缶の側面の任意の高さに巻き付け、該塗料缶に対して締め付け固定される本体部と、
前記本体部から下方に延在して前記斜面に載置するための脚部とを備え、
前記本体部は、
長尺の複数の板状体と、
連設される前記板状体の端部同士を折り曲げ可能に連結する連結部と、
前記連結部によって連結された複数の前記板状体からなる帯状部を前記塗料缶に巻き付けて該帯状部の両端部を着脱可能に接続する接続部と、
前記塗料缶を巻き付けて前記接続部によって接続された前記帯状部で該塗料缶を締め付けるための締付手段とを備えたことを特徴とする塗料缶保持具。
【請求項２】
前記複数の板状体のうちの少なくとも一つの、前記塗料缶に当接する面に、滑り止め手段が設けられていることを特徴とする請求項１に記載の塗料缶保持具。
【請求項３】
前記締付手段が前記接続部に備えられていることを特徴とする請求項１又は２に記載の塗料缶保持具。
【発明の詳細な説明】
【技術分野】
【０００１】
本発明は、塗料缶保持具に関する。
【背景技術】
【０００２】
従来、建物の屋根を塗装する際には、屋根上に塗料缶を載置して作業をするのが一般的である。また、屋根は傾斜をなしていることが多いが、この傾斜面上に塗料缶を載置すると、塗料缶が不安定な状態となり、塗料缶が転倒したり、屋根から落下するといった問題が生じ得る。そのため、作業者が塗料缶を支持した状態で塗装作業が行われているという実情がある。
【０００３】
このような問題を解消するものとして、例えば、塗料缶を抱持する本体から斜面に載置するための足部を下方に突出させ、塗料缶の下端縁と足部とを斜面に接地させることで、塗料缶を屋根の斜面に載置した際に、塗料缶を水平に保持することが可能な塗料缶保持具が知られている（例えば、特許文献１参照）。
【先行技術文献】
【特許文献】
【０００４】
【特許文献１】特開平１１−２９３８７６号公報
【発明の概要】
【発明が解決しようとする課題】
【０００５】
しかしながら、上記特許文献１に記載の塗料缶保持具は、抱持する本体が帯状をなしてかさばった形状となっている。特に、屋根の塗装作業に際しては、塗料缶とこれを保持する塗料缶保持具を所持して梯子等を使って屋根に上がらなくてはならず、持ち運びし難いために、大変煩雑であり、作業負担がかかる。
【０００６】
本発明は、上記課題に鑑みてなされたものであり、持ち運びを容易にして、屋根などの傾斜のある塗装面での塗装作業効率を向上させることができる塗料缶保持具を提供することを目的とするものである。
【課題を解決するための手段】
【０００７】
上記目的を解決するため、請求項１に記載の発明は、
塗料缶を斜面に設置するために用いられる塗料缶保持具であって、
塗料缶の側面の任意の高さに巻き付け、該塗料缶に対して締め付け固定される本体部と、
前記本体部から下方に延在して前記斜面に載置するための脚部とを備え、
前記本体部は、
長尺の複数の板状体と、
連設される前記板状体の端部同士を折り曲げ可能に連結する連結部と、
前記連結部によって連結された複数の前記板状体からなる帯状部を前記塗料缶に巻き付けて該帯状部の両端部を着脱可能に接続する接続部と、
前記塗料缶を巻き付けて前記接続部によって接続された前記帯状部で該塗料缶を締め付けるための締付手段とを備えたことを特徴とする。
【０００８】
また、請求項２に記載の発明は、請求項１に記載の塗料缶保持具において、
前記複数の板状体のうちの少なくとも一つの、前記塗料缶に当接する面に、滑り止め手段が設けられていることを特徴とする。
【０００９】
また、請求項３に記載の発明は、請求項１又は２に記載の塗料缶保持具において、
前記締付手段が前記接続部に備えられていることを特徴とする。
【発明の効果】
【００１０】
本発明によれば、持ち運びを容易にして、屋根などの傾斜のある塗装面での塗装作業効率を向上させることができる塗料缶保持具を提供することができる。
【図面の簡単な説明】
【００１１】
【図１】（Ａ）は、本実施形態に係る塗料缶保持具の平面図であり、（Ｂ）は、その正面図であり、（Ｃ）は、その右側面図である。
【図２】（Ａ）は、塗料缶保持具の使用状態を示す右側面図であり、（Ｂ）は、その斜視図である。
【図３】本実施形態に係る塗料缶保持具の折り畳み手順を説明する図である。
【図４】本実施形態に係る塗料缶保持具に適用可能な締付部の別の態様を示す図である。
【図５】本実施形態に係る塗料缶保持具に適用可能な締付部の別の態様を示す図である。
【発明を実施するための形態】
【００１２】
以下、本発明の実施の形態に係る塗料缶保持具について、図面を参照しながら説明する。ただし、発明の範囲は図示例に限定されない。なお、以下の説明において、同一の機能及び構成を有するものについては、同一の符号を付し、その説明を省略する。
【００１３】
先ず、図１を参照しながら、本実施形態に係る塗料缶保持具１００の構成について説明する。ここで、図１（Ａ）は、本実施形態に係る塗料缶保持具１００の平面図であり、同図（Ｂ）は、その正面図であり、同図（Ｃ）は、その右側面図である。本実施形態の説明において、前後、左右、上下とは、作業者が脚部が取り付けられる側から見た状態を基準とした前後、左右、上下を意味する。
【００１４】
図１に示すように、本実施形態に係る塗料缶保持具１００は、正面プレート１０１、左側プレート１０２、右側プレート１０３、背面プレート１０４が直列に配置されるとともに、正面プレート１０１の左端と左側プレート１０２の右端とが連結リング１０６ａにより折り曲げ可能に接続されており、左側プレート１０２の左端と背面プレート１０４の右端とが連結リング１０６ｂにより折り曲げ可能に接続されており、正面プレート１０１の右端と右側プレート１０３の左端とが連結リング１０６ｃにより折り曲げ可能に接続されている。すなわち、本実施形態では、連結リング１０６ａ〜１０６ｃがそれぞれ連結部として機能している。また、本実施形態では、連結リング１０６ａ〜１０６ｃで連結された正面プレート１０１、左側プレート１０２、右側プレート１０３及び背面プレート１０４により帯状部を構成している。
【００１５】
正面プレート１０１、左側プレート１０２、右側プレート１０３及び背面プレート１０４は、それぞれ、細長長方形状の金属製の板部材により形成されている。また、右側プレート１０３は、先端部に円形の挿通孔１０３ａが開設されており、後述するボルト１０５ａが挿通可能とされている。また、背面プレート１０４は、先端にフランジ１０４ａが設けられており、このフランジ１０４ａにボルト１０５ａが突設されている。すなわち、連結リング１０６ａ〜１０６ｃで正面プレート１０１、左側プレート１０２、右側プレート１０３及び背面プレート１０４でそれぞれ内側に折り曲げると、ボルト１０５ａと挿通孔１０３ａが位置整合してボルト１０５ａが挿通孔１０３ａを挿通可能となり、挿通孔１０３ａにボルト１０５ａを挿通することにより、図２に示すように、塗料缶保持具１００が方形環状に形成され、塗料缶Ｃを巻き付けることができる。なお、このとき、背面プレート１０４のフランジ１０４ａと右側プレート１０３との間に間隙が形成される。また、塗料缶保持具１００の塗料缶Ｃへの巻き付け位置は、屋根等の傾斜面に塗料缶Ｃを載置した際に、塗料缶Ｃが水平を保つように、設置する傾斜面の角度に応じて適宜設定される。その後、右側プレート１０３の挿通孔１０３ａに挿通されたボルト１０５ａに対してナット１０５ｂ（図２参照）を螺合して締め付け、背面プレート１０４のフランジ１０４ａと右側プレート１０３との間隔を狭めることで、塗料缶保持具１００によって塗料缶Ｃが締め付けられ、塗料缶Ｃが塗料缶保持具１００によってしっかりと保持される。すなわち、本実施形態では、ボルト１０５ａ及びナット１０５ｂにより接続部を構成し、また、締付手段としても構成されている。なお、本実施形態では、ナット１０５ｂを用いたが、操作性を向上させるためにナットの形状を適宜に設計してもよく、例えば、蝶ナット等、ナットを回転させやすいようにつまみ部を備えたものを採用してもよい。また、本実施形態では、締付手段が接続部に備えられている構成とされているが、締付手段と接続部とが別部材により構成されてもよい。
【００１６】
また、本実施形態では図示していないが、正面プレート１０１、左側プレート１０２、右側プレート１０３及び背面プレート１０４の内周側に滑り止めが設けられている。本実施形態では、滑り止めとして、支持する塗料缶との摺接摩擦抵抗の大きいゴム等の天然樹脂や熱可塑性樹脂が採用されているが、摺接摩擦抵抗の大きい材料であれば他の材料であってもよく、例えば、サンドペーパーを設けたり、上記プレートの内周面を加工して摺接摩擦抵抗を大きくするようにしてもよい。また、正面プレート１０１、左側プレート１０２、右側プレート１０３及び背面プレート１０４の内周側全面に滑り止めが設けられてもよいし、一部にのみ滑り止めが設けられてもよい。また、正面プレート１０１、左側プレート１０２、右側プレート１０３及び背面プレート１０４のうちの全部に滑り止めが設けられてもよいし、一部のプレートにのみ滑り止めが設けられてもよい。
【００１７】
また、正面プレート１０１における左右位置に、下方に延在してハ字形状をなすように一対の脚部（左脚部１０７Ｌ、右脚部１０７Ｒ）が設けられている。左脚部１０７Ｌ及び右脚部１０７Ｒは、正面プレート１０１の下端からやや下方において前方に所定角度（例えば、５度）折り曲げられている。なお、左脚部１０７Ｌ及び右脚部１０７Ｒのなす角度は適宜の角度に設定することができる。また、左脚部１０７Ｌ及び右脚部１０７Ｒは、先端が傾斜面に当接するようにさらに所定角度（例えば、５５度）前方に折り曲げられており、それぞれ左接地部１０７Ｌａ及び右接地部１０７Ｒａを構成している。なお、左接地部１０７Ｌａ及び右接地部１０７Ｒａのなす角度は適宜の角度に設定することができる。また、左接地部１０７Ｌａ及び右接地部１０７Ｒａの底面は、図示しないが、それぞれ滑り止め部が設けられており、塗料缶保持具１００を屋根等の傾斜面に設置した場合に、滑ってしまうのを防止することができる。滑り止め部としては、上述したような、摺接摩擦抵抗の大きいゴム等の天然樹脂や熱可塑性樹脂が採用されているが、摺接摩擦抵抗の大きい材料であれば他の材料であってもよく、例えば、サンドペーパーを設けたり、左接地部１０７Ｌａ及び右接地部１０７Ｒａの底面を加工して摺接摩擦抵抗を大きくするようにしてもよい。なお、脚部の形状や材料は上述したものに限らず、適宜のものを選択することができる。
【００１８】
なお、連結リング１０６ａ〜１０６ｃは、正面プレート１０１、左側プレート１０２、右側プレート１０３及び背面プレート１０４にそれぞれ取付部材を介して取り付けられているが、正面プレート１０１、左側プレート１０２、右側プレート１０３及び背面プレート１０４に直接設けられる態様であってもよい。また、連結リング１０６ａ〜１０６ｃは、金属製の環状体により形成されているが、正面プレート１０１、左側プレート１０２、右側プレート１０３及び背面プレート１０４が折り曲げ可能に構成されていればいずれの部材を採用してもよく、例えば、蝶番で２つのプレートを折り曲げ可能に接続してもよいし、軸ピンにより２つのプレートを軸支して折り曲げ可能に接続するようにしてもよい。また、材料も金属に限らず、本願発明の目的を達成可能なものであれば、いずれの材料についても採用してもよく、例えば、一部又は全部を金属に換えて樹脂にしてもよい。また、本実施形態における、正面プレート１０１、左側プレート１０２、右側プレート１０３及び背面プレート１０４はいずれも金属板により構成したが、本願発明の目的を達成可能なものであれば、いずれの材料についても採用してもよく、例えば、一部又は全部を金属に換えて樹脂にしてもよい。
【００１９】
また、本実施形態における、正面プレート１０１、左側プレート１０２、右側プレート１０３及び背面プレート１０４の長さは、一般的な金属製の一斗缶（例えば、「ＪＩＳ  Ｚ  １６０２：２００３」で規格化されている一斗缶）に整合する長さとしているが、使用する塗料缶のサイズに合わせて適宜設定されてもよいし、また、異なる塗料缶のサイズに適合できるように、正面プレート１０１、左側プレート１０２、右側プレート１０３及び背面プレート１０４のうちの１つ又は複数のプレートの長さを可変可能な構成としてもよい。
【００２０】
以上のようにして塗料缶保持具１００を塗料缶Ｃに取り付けた状態で、図２に示すように、屋根Ｒに載置すると、左脚部１０７Ｌ及び右脚部１０７Ｒの各接地部（左接地部１０７Ｌａ、右接地部１０７Ｒａ）と、塗料缶Ｃの下端縁とにより塗料缶Ｃを水平に支持することができる。
【００２１】
次に、本実施形態における塗料缶保持具１００の折り畳み手順について、図３を参照しながら説明する。
【００２２】
先ず、図３（Ａ）に示すように、塗料缶Ｃから取り外した塗料缶保持具１００の各プレートを直列方向に延伸し、背面プレート１０４を、連結リング１０６ｂにより軸Ｐを回動軸として、左側プレート１０２の内周面に向けて（平面視でＣＷ方向に）回動させることで、図３（Ｂ）に示すように、背面プレート１０４の内周面と左側プレート１０２の内周面とが対向するようにして重ね合わせる。
【００２３】
続いて、上述したようにして重ね合わさった背面プレート１０４及び左側プレート１０２を、連結リング１０６ａにより軸Ｑを回動軸として、正面プレート１０１の外周面に向けて（平面視でＣＣＷ方向に）回動させることで、図３（Ｃ）に示すように、背面プレート１０４とともに左側プレート１０２の外周面と正面プレート１０１の外周面とが対向するようにして重ね合わせる。
【００２４】
最後に、右側プレート１０３を、連結リング１０６ｃにより軸Ｓを回動軸として、正面プレート１０１の内周面に向けて（平面視でＣＣＷ方向に）回動させることで、図３（Ｄ）に示すように、背面プレート１０４、左側プレート１０２及び正面プレート１０１が重ね合わさった状態で右側プレート１０３の内周面と正面プレート１０１の内周面とが対向するようにして重ね合わせる。すると、図３（Ｄ）に示すように、正面プレート１０１、左側プレート１０２、右側プレート１０３及び背面プレート１０４が重ね合わせ状態で折り畳まれる。なお、重ね合わせ状態で折り畳まれた複数のプレートを、例えば、バンド等で縛ることで、プレートがばらけるのを防止するようにしてもよい。
【００２５】
本実施形態では、上述したように構成されているので、比較的軽量でしかもコンパクトに折り畳むことができるので、持ち運びが容易であり、例えば、屋根等の高所で塗装作業を行う場合に、塗料缶及びこれを支持する塗料缶保持具の搬送作業負荷が軽減され、塗装作業効率を向上させることができるようになる。
【００２６】
なお、本実施形態において、脚部（左脚部１０７Ｌ、右脚部１０７Ｒ）をさらに収納可能に構成されてもよく、例えば、脚部の基端部が正面プレートに対して回動可能に取り付けられており、ロック手段によるロックを解除することで左脚部１０７Ｌ及び右脚部１０７Ｒがそれぞれ回動可能となり、上述したようにして重ね合わせ状態で折り畳まれたプレートとともに重ね合わせ可能に構成してもよい。これにより、持ち運びがさらに容易となる。
【００２７】
次に、上述した接続部及び締付手段の別の例について、図４を参照しながら説明する。なお、上述した実施形態と同様の機能構成については、符号を同じくして説明を省略する。
【００２８】
図４に示す塗料缶保持具１００Ａでは、右側プレート１０３Ａ及び背面プレート１０４Ａが図１に示す態様と異なっている。図４に示す塗料缶保持具１００Ａにおける右側プレート１０３Ａの端部にＬ字状に折り曲げられた金属製のアダプタ１０３Ａａが設けられており、アダプタ１０３Ａａのフランジ部分の外周面にコ字状のフック１０３Ａｃが突設されたベース板１０３Ａｂが取り付けられている。なお、アダプタ１０３Ａａを設けずに、右側プレートの先端を折曲形成し、ベース板１０３Ａｂを直接取り付けるようにしてもよい。
【００２９】
また、背面プレート１０４Ａは、端部に平板状のアダプタ１０４Ａａが設けられており、アダプタ１０４Ａａの外周面にコ字状のフック１０４Ａｃが突設されたベース板１０４Ａｂが取り付けられている。なお、アダプタ１０４Ａａを設けずに背面プレートにベース板１０４Ａｂを直接取り付けるようにしてもよい。
【００３０】
上述したように構成された塗料缶保持具１００Ａを接続及び塗料缶Ｃの締め付けを行う場合には、図４に示す締付具２００を右側プレート１０３Ａ側のフック１０３Ａｃと背面プレート１０４Ａ側のフック１０４Ａｃとを接続することにより行われる。より具体的には、締付具２００は、縮む方向に付勢されるゴム製の伸縮バンド２０１の両端にそれぞれ鈎状の係止部２０２，２０３が設けられて構成されている。各プレートを方形環状に形成した後、締付具２００の係止部２０２，２０３を伸縮バンド２０１を伸長する方向に伸ばしながらフック１０３Ａｃ，１０４Ａｃに係止させる。すると、伸縮バンド２０１が付勢方向に収縮することで塗料缶保持具１００Ａが塗料缶Ｃを締め付ける。このように構成することで、塗料缶保持具１００Ａの接続作業及び塗料缶Ｃへの締付作業を容易にすることができる。なお、この実施形態において伸縮バンド２０１に換えて、伸縮可能な別の部材を適用してもよく、例えば、ばね等の弾性部材が適用可能である。また、右側プレート１０３Ａの先端にＬ字状のアダプタ１０３Ａａを設けないようにして（あるいは、右側プレート１０３Ａの先端を折曲加工しないようにして）フランジを有しない構成としてもよい。このことは、図５に示す例についても同様である。
【００３１】
次に、上述した接続部及び締付手段のさらに別の例について、図５を参照しながら説明する。なお、上述した実施形態と同様の機能構成については、符号を同じくして説明を省略する。
【００３２】
図５に示す塗料缶保持具１００Ｂでは、右側プレート１０３Ｂ及び背面プレート１０４Ｂが図１に示す態様と異なっている。図５に示す塗料缶保持具１００Ｂにおける右側プレート１０３Ｂの端部にＬ字状に折り曲げられた金属製のアダプタ１０３Ｂａが設けられ、また、背面プレート１０４Ｂの先端部にもアダプタ１０４Ｂａが設けられている。そして、バックル３００が右側プレート１０３Ｂ側のアダプタ１０３Ｂａと背面プレート１０４Ｂ側のアダプタ１０４Ｂａとを接続可能に架設されている。より具体的には、バックル３００は、右側プレート１０３Ｂ側のアダプタ１０３Ｂａの外側面に、断面コ字状のフック１０３Ｂｃが突設されたベース板１０３Ｂｂが取り付けられる一方、背面プレート１０４Ｂ側のアダプタ１０４Ｂａには、係止リング３０２が設けられた締付レバー３０１が取り付けられている。
【００３３】
図５に示す塗料缶保持具１００Ｂは、上述したように構成されており、塗料缶保持具１００Ｂを塗料缶Ｃに対して締め付ける場合には、プレートを方形環状に形成した後、バックル３００の係止リング３０２をフック１０３Ｂｃに係止させる。すると、締付レバー３０１が基端部を支軸として起き上がる方向に回動するので、手動で締付レバーを起き上がる方向とは反対方向に押圧すると、フック１０３Ｂｃに係止された係止リング３０２により右側プレート１０３Ｂ及び背面プレート１０４Ｂが互いに引き寄せられる方向に移動することで、塗料缶Ｃが塗料缶保持具１００Ｂにより締め付けられる。このように構成することで、塗料缶保持具１００Ｂの接続作業及び塗料缶Ｃへの締付作業を容易にすることができる。
【００３４】
なお、以上説明した実施形態では、一斗缶（「角缶」という場合もある。）に適用して説明したが、ペール缶（「丸缶」という場合もある。）に適用することも可能である。例えば、図１に示す実施形態では、３つの連結部１０６ａ〜１０６ｃと接続部１０５とにより、塗料缶保持具１００を方形環状に形成したが、連結部を増設して六角環状や八角環状にして角缶及び丸缶の両方に対応可能な構成としてもよい。また、塗料缶保持具１００を丸缶に取り付けて生じた空隙を、例えば、スペーサ等のアタッチメントを塗料缶保持具１００に取り付けて丸缶を押圧固定するようにしてもよい。本実施形態では、一般的なペール缶（例えば、「ＪＩＳ  Ｚ  １６２０：１９９５」で規格化されているペール缶）に適合することを想定しているが、これに限らず、使用するペール缶のサイズに合わせて適宜設定されてもよい。
【００３５】
以上説明したように、本実施形態によれば、本体部は、塗料缶Ｃの側面の任意の高さに巻き付け、塗料缶Ｃに対して締め付け固定される。脚部（左脚部１０７Ｌ及び右脚部１０７Ｒ）は、本体部（正面プレート１０１）から下方に延在して斜面（屋根Ｒ）に載置可能である。本体部は、長尺の複数の板状体（正面プレート１０１、左側プレート１０２、右側プレート１０３及び背面プレート１０４）と、連設される板状体の端部同士を折り曲げ可能に連結する連結リング１０６ａ〜１０６ｃと、連結リング１０６ａ〜１０６ｃによって連結された複数の板状体からなる帯状部を塗料缶Ｃに巻き付けて帯状部の両端を着脱可能に接続する接続部（ボルト１０５ａ及びナット１０５ｂ）と、塗料缶Ｃを巻き付けて接続部によって接続された帯状部で塗料缶Ｃを締め付けるための締付手段（ボルト１０５ａ及びナット１０５ｂ）とを備えている。その結果、複数の板状体を連結部によって折り曲げ可能とすることで、塗料缶保持具を折り畳んで持ち運びしやすくなるので、搬送負荷を低減することができ、屋根などの傾斜のある塗装面での塗装作業効率を向上させることができる。
【００３６】
また、本実施形態によれば、板状体（正面プレート１０１、左側プレート１０２、右側プレート１０３及び背面プレート１０４の塗料缶Ｃに当接する内周面に、滑り止めが設けられているので、塗料缶が塗料缶保持具から不用意にはずれてしまう不都合を低減できる。
【００３７】
また、本実施形態によれば、締付手段（ボルト１０５ａ及びナット１０５ｂ）が接続部に備えられているので、１つの部材で複数の機能を持たせることができ、製造コストを低減できる。
【００３８】
なお、本発明の実施の形態に記載された作用および効果は、本発明から生じる最も好適な作用および効果を列挙したに過ぎず、本発明による作用および効果は、本発明の実施の形態に記載されたものに限定されるものではない。
【００３９】
本実施形態では、細長板状のプレートを繋いで構成するものとしたが、例えば、チェーン形状のものを採用してもよい。
【符号の説明】
【００４０】
１００  塗料缶保持具
１０１  正面プレート（板状体）
１０２  左側プレート（板状体）
１０３  右側プレート（板状体）
１０４  背面プレート（板状体）
１０５ａ  ボルト（接続部、締付手段）
１０５ｂ  ナット（接続部、締付手段）
１０６ａ〜１０６ｃ  連結リング（連結部）
１０７Ｌ  左脚部
１０７Ｒ  右脚部
Ｃ  塗料缶
Ｒ  屋根（斜面）
【要約】
【課題】持ち運びを容易にして、屋根などの傾斜のある塗装面での塗装作業効率を向上させることができる塗料缶保持具を提供する。
【解決手段】本体部は、長尺の複数の板状体（正面プレート１０１、左側プレート１０２、右側プレート１０３及び背面プレート１０４）と、連設される板状体の端部同士を折り曲げ可能に連結する連結リング１０６ａ〜１０６ｃと、連結リング１０６ａ〜１０６ｃによって連結された複数の板状体からなる帯状部を塗料缶Ｃに巻き付けて帯状部の両端を着脱可能に接続する接続部（ボルト１０５ａ及びナット１０５ｂ）と、塗料缶Ｃを巻き付けて接続部によって接続された帯状部で塗料缶Ｃを締め付けるための締付手段（ボルト１０５ａ及びナット１０５ｂ）とを備えている。
【選択図】図２【図１】
0006967804.tif 000002
【図２】
0006967804.tif 000003
【図３】
0006967804.tif 000004
【図４】
0006967804.tif 000005
【図５】
0006967804.tif 000006